(57)【要約】【課題】  開口部の開閉が簡単かつ確実で海中での閉鎖安定性があり、腐食劣化による不具合のない貝類養殖篭を提供する。【解決手段】  外周網３で囲われた筒状養殖篭の貝類出口となる縦方向開口部１０の左右縁部に、それぞれ樹脂製の雌雄ホック類８（８ａ，８ｂ）を列設した一対のテープ９を設け、雌雄ホック類８の係脱により開口部１０を開閉する。開口部１０の上部における外周網３の一部に上端部分１１ａを係止した操作紐１１を設け、該操作紐の下端を一対のテープ９、９の間を通って養殖篭１内の下方に垂下し、操作紐１１の上端部分１１ａを下方に引くことにより、雌雄ホック類の係合を離脱させる。【選択図】      図２
0003111273.tif 000002
【実用新案登録請求の範囲】
【請求項１】
外周網で囲われた筒状養殖篭の貝類出口となる縦方向開口部の左右縁部に、それぞれ樹脂製の雌雄ホック類を列設した一対のテープを設け、前記雌雄ホック類の係脱により前記開口部を開閉するようにしたことを特徴とする貝類養殖篭。
【請求項２】
外周網で囲われた筒状養殖篭の貝類出口となる縦方向開口部の左右縁部に、それぞれ樹脂製の雌雄ホック類を列設した一対のテープを設け、前記雌雄ホック類の係脱により前記開口部を開閉するようにした貝類養殖篭であって、
前記一対のテープの間を通る操作紐を設け、該操作紐を下若しくは上方向に引くことにより、前記雌雄ホック類の係合を離脱させるようにしたことを特徴とする貝類養殖篭。
【請求項３】
前記操作紐は、前記開口部の上部における外周網の外側の一部に上端部分を係止し、該操作紐の下端を前記一対のテープの上部間を通って前記養殖篭内側の下方に垂下し、操作紐を引くことにより、前記雌雄ホック類の係合を離脱させるようにしたことを特徴とする請求項２記載の貝類養殖篭。
【請求項４】
前記養殖篭は、上下複数段に配置された支持枠と、各支持枠の外周を筒状に包囲する外周網と、前記各支持枠に取付けられて前記外周網で囲われた筒状内部を複数段の収容室に仕切る網棚とを備えたことを特徴とする請求項１乃至３のいずれか１項記載の貝類養殖篭。
【請求項５】
前記樹脂製の雌雄ホック類は、合成樹脂製の左右の前記テープの対向部に、互いに係合する雌又は雄ホック類が、上下略７cm間隔で設けられたことを特徴とする請求項１乃至４のいずれか１項記載の貝類養殖篭。
【考案の詳細な説明】
【技術分野】
【０００１】
本考案は、ホタテ貝等の網製筒形の貝類養殖篭に関し、特に貝の入替えに際して簡単且つ容易に開口部を開閉できるようにした構造に関するものである。
【背景技術】
【０００２】
ホタテの稚貝の中間育成を行うための網製筒形の連段式養殖篭には、下記特許文献１に示すように、外周の囲い網の一部に篭の高さ方向に沿った重複部がある。この重複部は、篭に収容する殻長７〜１０mmの育成前稚貝と、略８ヶ月間篭に入り育成された後の殻長３５mm以上ホタテ貝の出入口開口部となる箇所であり、従来では開閉毎に出入口箇所をテグスなどの綴じ糸によりジグザグ状に縫合したり、糸の引き抜き作業を行っている。
【０００３】
但し稚貝を篭内に挿入し、開口部を縫合した後単に約８ヶ月間海中に吊下げたままとした場合には、海藻類や、牡蠣、フジツボなどの異貝の付着物が編目に付着して海水が篭の中を通過困難となるほど網目を塞ぎ、貝の成長の阻害要因となる。
【０００４】
したがって、定期的に前記連段篭を海中から取出して開口部の糸を引き抜きし、海藻や、貝類などの海中夾雑物の除去並びに篭の損傷部分の補修作業を行った後、開口部を再縫合して再度海中に投入する作業を含むほか、この期間中ホタテ貝の生育状態によっては別の篭に入替える作業を伴う場合もある。
【０００５】
以上の一連の作業のうちで、海中から取出したホタテの生存を確保するためには、短時間の補修、清掃は勿論のこと、開口部の口綴じ作業を短時間で行うことが絶対に不可欠であるが、この縫合作業に時間がかかり、熟練を要することが大きな課題となっていた。
【０００６】
なお、養殖業者の所有する連段篭数は育成稚貝の数により多少の違いはあるものの、平均１２００篭を有しており、１篭当りの長さは４ｍ程度までに及ぶため、その全数を縫合する作業時間とその人件費は業者にとって多大の負担となっていた。
【０００７】
以上の課題を解決するために、下記特許文献２には、スライドファスナーで開口部を開閉するものが開示され、また、下記特許文献３には面ファスナーで開口部を開閉するものが開示されている。
【特許文献１】特許第３３８０８６５号公報
【特許文献２】実開昭４８−８９７９６号公報
【特許文献３】実公平６−４６２９８号公報
【考案の開示】
【考案が解決しようとする課題】
【０００８】
しかしながら、スライドファスナーを用いた場合、この箇所に海藻類などの異物が固着すると、開閉不能となる可能性が大である。また、面ファスナーの場合には、空気中における付着力は大であるが、海中における固着安定性に疑問があり、万が一何らかの原因でこの箇所が開き、貝が散逸したりこの箇所から侵入したヒトデなどの天敵により捕食された場合には、莫大な損害を被りかねないものとなる。
【０００９】
このため、作業の煩雑さという課題があるにもかかわらず、開口部の開閉方法としては、上記従来から実施されている縫合手段をとらざるを得ないのが現状であり、簡単かつ簡易で海中での閉鎖安定性のある新規な脱着手段が渇望されていた。
【００１０】
そこで、本考案は以上の課題を解決するものであって、開口部の開閉が簡単かつ確実で海中での閉鎖安定性があり、腐食劣化による不具合のない貝類養殖篭を提供するものである。
【課題を解決するための手段】
【００１１】
前記目的を達成するために、本考案は、図の実施の形態にも示すように、外周網３で囲われた筒状養殖篭１の貝類出口となる縦方向開口部１０の左右縁部に、それぞれ樹脂製の雌雄ホック類８（８ａ，８ｂ）を列設したテープ９を設け、前記雌雄ホック類８の係脱により前記開口部１０を開閉するようにしたことを特徴とする貝類養殖篭にある。
【００１２】
さらに、本考案では、上記養殖篭１において、前記開口部１０の上部における外周網３の外側の一部に上端部分１１ａを係止した操作紐１１を設け、該操作紐の下端を前記一対のテープ９、９の間、すなわち前記雌雄ホック類８（８ａ，８ｂ）列の上部における前記一対のテープ９、９の間を通って養殖篭１内の下方に垂下し、操作紐１１の下端部分１１ｂを養殖篭１の内側の下部に係止しておく。
この状態で、操作紐１１の上端部分１１ａを下方に引くことにより、雌雄ホック類の係合が離脱され、開口部１０が一度に開くことになる。上端部分１１ａの係止をそのままにしておいて、その近傍を引くことにより雌雄ホック類の係合を離脱させることができる。また、上端部分１１ａの係止を着脱自在の係止とし、上端部分１１ａの係止を解いてから、この上端部分１１ａ又はその近傍を持って下方に引くこともできる。
【００１３】
前記養殖篭は、上下複数段に配置された支持枠２と、各支持枠２の外周を筒状に包囲する外周網３と、前記各支持枠２に取付けられて前記外周網３で囲われた筒状内部を複数段の収容室に仕切る網棚５とを備えたことを特徴としている。
【００１４】
前記樹脂製の雌雄ホック類８（８ａ，８ｂ）は、合成樹脂製の左右の前記一対のテープ９，９の対向部に、互いに係合する雌又は雄ホック類が、上下略７cm程度間隔で設けられたことを特徴としている。雌雄ホック類８（８ａ，８ｂ）を一対のテープ９，９に取り付けるためには、樹脂ホックを上記テープに成型により取り付けるようにしても良く、または、樹脂ホックをテープに工具を用いて打ちつけて取り付けるようにしてもさしつかえない。
【考案の効果】
【００１５】
したがって以上の構成によれば雌雄ホック類８の係脱による開閉操作のみで開口部１０を開閉できるため、開閉作業を簡単かつ短時間で行える。また、一旦止めたホック類８は、海中での閉鎖安定性を保持し、樹脂製であるため、金属ホックのような腐食がなく、海中夾雑物の付着によってもその開閉性に与える影響がない。この場合、上記操作紐１１の上端部分１１ａ又はその近傍を持って、上部より下方へ引き下げると雌雄ホック類８（８ａ，８ｂ）が瞬時にして離脱し、開口部１０が一度に開くことになる。
【００１６】
また、縦長の養殖篭１の上部または下部から順に連続してホック類８の係脱して開閉し、解放または閉鎖ができるため、さらに開閉操作が容易となる。
【００１７】
また、雌雄ホック類８（８ａ，８ｂ）を、予め、合成樹脂製の左右のテープ９，９に取り付ける構成とすることにより、ホック類の取付が容易となる。さらに、上下のホック類８の間隔を略７cm程度とすることにより、内部の稚貝が外に出たり、鬼ヒトデなどが侵入したりする不都合がない。
【考案を実施するための最良の形態】
【００１８】
以下、本考案の最良の実施の形態につき、添付図面を参照して説明する。図１は本考案に係る連段篭としての養殖篭１を示し、この養殖篭１は、複数段に配置された環状の支持枠２と、各支持枠２の外周を筒状に包囲する外周網３と、前記各支持枠３に取付けられて前記外周網３で囲われた内部を複数段の収容室４に仕切る網棚５とを備えている。
【００１９】
支持枠２の外周複数箇所には、吊りロープ６が縦列配置される。吊りロープ６は、各収容室４の間隔（略１８cm〜２０cm）を維持するとともに外周網３に掛かる強度を保護するものである。吊りロープ６の上部は浮力材に連結するために束ねられたロープによる環７形状とし、下部は沈子材に転結して海中に半浮遊状態に吊り下げ保持されるようになっている。
【００２０】
なお、以上の養殖篭１の直径Ｌは実寸で約３８cm〜５０cm、高さＨ３５０cm〜４５０cm、各収容室４の高さは１８cm〜２０cmで、図では段数を少な目としているが、実際には１７段〜２５段程度配置されている。また吊りロープ６の養殖篭１の上部に突出する高さＨ１は５０cm、養殖篭１下部からの吊下げ高さＨ２は８０cm程度に設定されている。
【００２１】
前記外周網３の周方向１箇所は、各収容室４におけるホタテの出し入れ用開口部１０となっていて、この開口部１０は各支持枠２を縦通して直線状に形成され、この両縁部には、それぞれ雌雄ホック類８（８ａ，８ｂ）を縦列方向等間隔に予め列設した左右一対のテープ９，９が縫合により一体化されている。左右一対のテープ９の一方には、例えば、雌ホック類８ａが一定間隔で取り付けられ、他方には雄ホック類８ｂが一定間隔で取り付けられている。図１では前記テープ９同士を重合し、雌雄ホック類８を嵌め付けた状態を示し、海中吊下状態で前記ホック類８により開口部１０は閉じられた状態に保持される。
【００２２】
雌雄ホック類８は、例えばポリアセタール樹脂などの合成樹脂製素材から構成され、またテープ９は、ポリエステル製等の合成樹脂製又は合成繊維製のテープから構成され、前記雌または雄ホック類８（８ａ，８ｂ）を熱融着などにより予め等間隔に一体化したものを外周網３の開口縁にそれぞれミシン縫合したものである。雌雄ホック類８の配列ピッチは、実寸で略７cm程度毎であれば、テープ９の重合部に大きな隙間が生ずることなく、これにより各収容室４毎に２〜３個のホック類８で閉じられることになる。雌雄ホック類８（８ａ，８ｂ）は、テープ９に対し工具を用いて打ちつけて取り付けられても良い。
【００２３】
開口部１０が閉じられた状態の養殖篭１を海中から引上げ、掃除、補修、夾雑物の除去、あるいは貝の入替えなどの作業を行う場合には、図２に拡大して示すように、端部の外周網３の間から手を差込んで両テープ９を持ち、前後及び左右に引張れば、ホック類８は順次一端から他端側にかけて連続的に掛け外され、開口部１０を全開できる。この際、テープ９間に蛎やフジツボ、海藻などの夾雑物が付着していたとしても、これらの付着力よりテープ９の引き剥がし力の方が高いため、解放時の妨げとはならない。また、連続開放のために、操作紐１１の上端部１１ａ若しくはその近傍を持って、上部より下部へ引き下げることにより、上下の雌雄ホック類８を連続して離脱させ、開口部１０を短時間で開くことができる。
【００２４】
以上の作業が終了後は、前記とは逆の手順で一旦側の外周網３の間から手を差込んで両テープ９同士を重ね合わせつつ、雌雄ホック類８同士を押付けることにより、スナップ音を発しつつ、順次一端から他端側にかけて開口部１０を連続的に閉じることができるのである。
【００２５】
以上のホック類８は合成樹脂製であることにより、海水中での腐食やこれに伴う不具合がなく、またこれを支持するテープ９もポリエステル製等の合成樹脂布地であることにより頑丈で耐腐食性があり、開閉時その他取扱い時における現場での使用に対する耐久性も十分あり、繰返し使用が可能である。
【図面の簡単な説明】
【００２６】
【図１】本考案に係る養殖篭の全体的構成を示す斜視図である。
【図２】同養殖篭における開口部の解放作業を示す部分拡大図である。
【符号の説明】
【００２７】
１  養殖篭
２  支持枠
３  外周網
４  収容室
５  網棚
８（８ａ，８ｂ）  雌雄ホック類
９  テープ
１０  開口部
１１  操作紐
【図１】
0003111273.tif 000003
【図２】
0003111273.tif 000004